(57)【要約】【課題】電線に強い引張力が加わっても、電線を本体部から抜け出し難くする。【解決手段】電線引出機構１４は合成樹脂材から成り、断面コ字状で角樋状の本体部２１と、その両端部に設けた引出規制部２２とから構成されている。本体部２１は底面部２３、両側面部２４、２５から成り、内部は空胴とされている。引出規制部２２は断面コ字型とされ、その開口は本体部２１の底面部２３側を向いている。電線１６、１６’はそれぞれ引出規制部２２を介して本体部２１に引き込まれ、本体部２１内において２本の電線１６、１６’は接続されている。このような構成により、電線１６に開口部側に向けて引張力が作用しても、引出規制部２２の存在により、電線１６は本体部２１から抜け出すことはない。【選択図】図２
2005347698.tif 000002
【特許請求の範囲】
【請求項１】
取付面に固定して使用する電線引出機構であって、底部と両側面から成る断面コ字型の角樋状の本体部の端部に、少なくとも前記底面側を閉塞する引出規制部を一体に形成したことを特徴とする請求項１に記載の電線引出機構。
【請求項２】
前記引出規制部は断面Ｃ字型又はコ字型としたことを特徴とする請求項１に記載の電線引出機構。
【請求項３】
前記本体部の一側面を前記取付面に接着するようにしたことを特徴とする請求項１に記載の電線引出機構。
【請求項４】
前記取付面に接着する前記一側面は、前記引出規制部から更に外方に延在したことを特徴とする請求項３に記載の電線引出機構。
【請求項５】
電線を前記引出規制部を通して前記本体部内に引き込み、前記本体部内において回路部品を介して他方の電線と接続したことを特徴とする請求項１に記載の電線引出機構。
【請求項６】
前記本体部内において前記電線及び回路部品は電気絶縁性樹脂によりモールドしたことを特徴とする請求項５に載の電線引出機構。
【請求項７】
前記本体部の底部と対向する開口部は、蓋部により覆うようにしたことを特徴とする請求項１に記載の電線引出機構。
【発明の詳細な説明】
【技術分野】
【０００１】
本発明は、例えば太陽電池パネルにおいて、枠部などに固定し、電線を外部に引き出すための電線引出機構に関するものである。
【背景技術】
【０００２】
従来、太陽電池パネルにおいては発生した電力を電線を介して外部に取り出すために、図４に示すように太陽電池パネル１の枠部２などに、合成樹脂製の電線引出機構３を取り付けることがある。
【０００３】
図４において、電線引出機構３は合成樹脂製の断面コ字型の角樋状の基体３ａが主体とされ、１つの側面３ｂが枠部２に接着され、電線４が基体３ａ内に挿通され、基体３ａ内で必要に応じて回路が構成されている。また、基体３ａの開口部は電線４の挿通後に蓋部５により覆われている。電線４は基体３ａの両端部からそれぞれ引き出され、一端はコネクタ６に接続され、他端は枠部２内の太陽電池パネル１のセルに接続されている。
【発明の開示】
【発明が解決しようとする課題】
【０００４】
しかし、この電線引出機構３においては、コネクタ６を接続した電線４側から強い引張力が蓋部５側に作用すると、蓋部５が外れたり破損して、電線４が電線引出機構３から抜け出すことがあり、電線引出機構３が機能しなくなる。
【０００５】
また、電線４の引張力が電線引出機構３を剥離する方向に、図４においては上方に作用すると、この引張力は電線引出機構３の接着面の端部に加わるため、電線引出機構３の側面３ｂは枠部２から容易に剥れてしまうことがある。
【０００６】
本発明の目的は、上述の課題を解決し、電線が本体部から抜け出し難い電線引出機構を提供することにある。
【課題を解決するための手段】
【０００７】
上述の目的を達成するための本発明に係る電線引出機構は、取付面に固定して使用する電線引出機構であって、底部と両側面から成る断面コ字型の角樋状の本体部の端部に、少なくとも前記底面側を閉塞する引出規制部を一体に形成したことを特徴とする。
【発明の効果】
【０００８】
本発明の構成を有する本発明に係る電線引出機構は、電線に強い引張力が加わっても、電線が抜け出すことがない。また、接着面を長く延在すると取付面から剥離する虞れも少なくなる。
【発明を実施するための最良の形態】
【０００９】
本発明を図示の実施例に基づいて詳細に説明する。
図１は太陽電池パネルから電線引出機構を使用して電線を引き出す場合の斜視図、図２、図３は電線引出機構の拡大斜視図である。
【００１０】
複数の太陽電池セル１１を集合した太陽電池パネル１２は、金属製の枠部１３により囲まれ補強されている。枠部１３の一部には、電線引出機構１４が接着により取り付けられ、太陽電池パネル１２からコネクタ１５を介して引き出された電線１６’が、電線引出機構１４を介して電線１６として外部に引き出され、電線１６の端部にはコネクタ１７が接続されている。
【００１１】
電線引出機構１４は合成樹脂材から成り、断面コ字状で角樋状の本体部２１と、その両端部に設けた引出規制部２２とから構成され、これらは一体に射出成型により形成されている。
【００１２】
本体部２１は底面部２３、両側面部２４、２５から成り、内部は空胴とされている。引出規制部２２は断面コ字型とされ、その開口は本体部２１の底面部２３側を向いている。本体部２１の側面部２４でもある枠部１３との接着面は、本体部２１の長さの約１／３程度、それぞれ両側に延在部２４ａ、２４ｂとして延在され、延在部２４ａ、２４ｂの内側面には、電線１６’、１６を沿わせるための傾斜面２６が長手方向に形成されている。
【００１３】
電線１６、１６’はそれぞれ引出規制部２２を介して本体部２１に引き込まれ、本体部２１内において２本の電線１６、１６’は、例えばダイオードなどの回路部品２７を介してコネクタ２８、２９により接続されている。更に、電気絶縁性接着剤３０が回路部品２７、電線１６、１６’の周囲を囲むように充填され、更に本体部２１の開口部を覆うように例えば２個の蓋部３１が接着により取り付けられている。
【００１４】
使用に際しては、このように構成した電線引出機構１４を、図１に示すように枠部１３に固定する。この固定は側面部２４及び延在部２４ａ、２４ｂの外側全面を、接着剤によって枠部１３に接着することにより行う。
【００１５】
このようにすると、電線１６に従来のような開口部側に向けて引張力が作用しても、引出規制部２２の存在により、電線１６は本体部２１から抜け出すことはない。
【００１６】
また、電線引出機構１４全体に電線１６からの大きな引張力が加わっても、電線引出機構１４は側面部２４とこの側面部２４から延在した延在部２４ａ、２４ｂによって枠部１３に接着されているので、接着面積が大きくなっていることと、電線１６の引張力が電線引出機構１４の端部に作用することがないため、枠部１３から剥離する虞れが少ない。
【００１７】
なお、電線引出機構１４は枠部１３に固定するのではなく、太陽電池パネル１のガラス板に固定する場合も多い。
【産業上の利用可能性】
【００１８】
なお実施例においては、引出規制部２２を本体部２１の両側に設けたが、引張力が作用する電線１６側にのみ設けるようにしてもよい。また、引出規制部２２は断面コ字型としたが、断面Ｃ字型としたり、開口面のない筒型とすることもできる。
【図面の簡単な説明】
【００１９】
【図１】実施例の概略斜視図である。
【図２】電線引出機構の斜視図である。
【図３】反対側から見た電線引出機構の斜視図である。
【図４】従来の電線引出機構の斜視図である。
【符号の説明】
【００２０】
１１  太陽電池セル
１２  太陽電池パネル
１３  枠部
１４  電線引出機構
１５、１７  コネクタ
１６、１６’  電線
２１  本体部
２２  引出規制部
２３  底面部
２４、２５  側面部
２４ａ、２４ｂ  延在部
２７  回路部品
３１  蓋部
【図１】
2005347698.tif 000003
【図２】
2005347698.tif 000004
【図３】
2005347698.tif 000005
【図４】
2005347698.tif 000006